(57)【要約】【課題】周囲や培養容器、オイル分注器、更には使用者を汚染させることなく、液浸観察を行う顕微鏡へ適量を分注することの可能な顕微鏡液浸観察用オイル分注器、顕微鏡液浸観察用オイル分注器用スタンド、顕微鏡液浸観察用オイル分注ユニット、及び顕微鏡液浸観察用オイル分注キットを提供する。【解決手段】顕微鏡による液浸観察のために用いる、２５℃での動粘度が５０〜５００ｃＳｔのイマージョンオイルを、顕微鏡対物レンズと観察対象物との間に分注するための顕微鏡液浸観察用オイル分注器であって、シリンジ部１と、シリンジ部１に接続するノズル部２を有し、シリンジ部１は、容積が１〜３０ｃｃであり、ノズル部２は、先端内径が５００〜９００μｍ、テーパ角が４〜１０度である。【選択図】図１
2009020196.tif 000002
【特許請求の範囲】
【請求項１】
顕微鏡による液浸観察のために用いる、２５℃での動粘度が５０〜５００ｃＳｔのイマージョンオイルを、顕微鏡対物レンズと観察対象物との間に分注するための顕微鏡液浸観察用オイル分注器であって、
シリンジ部と、前記シリンジ部に接続するノズル部を有し、
前記シリンジ部は、容積が１〜３０ｃｃであり、
前記ノズル部は、先端内径が５００〜９００μｍ、テーパ角が４〜１０度であることを特徴とする顕微鏡液浸観察用オイル分注器。
【請求項２】
顕微鏡による液浸観察のために用いる、２５℃での動粘度が８０〜３５０ｃＳｔのイマージョンオイルを、顕微鏡対物レンズと観察対象物との間に分注するための顕微鏡液浸観察用オイル分注器であって、
シリンジ部と、前記シリンジ部に接続するノズル部を有し、
前記シリンジ部は、容積が１〜３０ｃｃであり、
前記ノズル部は、先端内径が５００〜９００μｍ、テーパ角が４〜１０度であることを特徴とする顕微鏡液浸観察用オイル分注器。
【請求項３】
顕微鏡による液浸観察のために用いる、２５℃での動粘度が１００〜１５０ｃＳｔのイマージョンオイルを、顕微鏡対物レンズと観察対象物との間に分注するための顕微鏡液浸観察用オイル分注器であって、
シリンジ部と、前記シリンジ部に接続するノズル部を有し、
前記シリンジ部は、容積が１〜３０ｃｃであり、
前記ノズル部は、先端内径が５００〜９００μｍ、テーパ角が４〜１０度であることを特徴とする顕微鏡液浸観察用オイル分注器。
【請求項４】
前記ノズル部のテーパ角が６〜８度であることを特徴とする請求項１〜３のいずれかに記載の顕微鏡液浸観察用オイル分注器。
【請求項５】
前記ノズル部の先端内径が６００〜６５０μｍであることを特徴とする請求項１〜４のいずれかに記載の顕微鏡液浸観察用オイル分注器。
【請求項６】
前記シリンジ部のピストンは、前記ノズル部が下方に向けられかつ該ピストンに外力が加えられないときには該シリンダ内で位置を保持するように該シリンダの内側面と密着し、該ピストンに外力が加えられたときには該シリンダの内側面に対して摺動する摺動部を有することを特徴とする請求項１〜５のいずれかに記載の顕微鏡液浸観察用オイル分注器。
【請求項７】
前記ノズル部及びシリンジ部の材質が、耐油性の樹脂であることを特徴とする請求項１〜６のいずれかに記載の顕微鏡液浸観察用オイル分注器。
【請求項８】
前記ノズル部が前記シリンジ部に対して着脱可能であることを特徴とする請求項１〜７のいずれかに記載の顕微鏡液浸観察用オイル分注器。
【請求項９】
前記ノズル部が前記シリンジ部と一体に成形されていることを特徴とする請求項１〜７のいずれかに記載の顕微鏡液浸観察用オイル分注器。
【請求項１０】
前記ノズル部の外周面における先端から所定長離れた部位に突部を有することを特徴とする請求項１〜９のいずれかに記載の顕微鏡液浸観察用オイル分注器。
【請求項１１】
前記突部が、所定間隔をあけて前記ノズル部の先端に向かうように配置された複数の突条で構成されていることを特徴とする請求項１０に記載の顕微鏡液浸観察用オイル分注器。
【請求項１２】
請求項１〜１１のいずれかに記載の顕微鏡液浸観察用オイル分注器を、前記ノズル部を下方に向け且つ該ノズル部の先端とは非接触な状態で保持可能な保持部を有することを特徴とする顕微鏡液浸観察用オイル分注器スタンド。
【請求項１３】
前記保持部が、前記ノズル部を保持することを特徴とする請求項１２に記載の顕微鏡液浸観察用オイル分注器スタンド。
【請求項１４】
前記保持部が、前記ノズル部の先端を挿入可能で、かつ、該ノズル部の外周面における先端から所定長離れた部位と当接する大きさの径の開口を有して構成されていることを特徴とする請求項１２又は１３に記載の顕微鏡液浸観察用オイル分注器スタンド。
【請求項１５】
前記保持部の開口が、所定長の奥行きを有し、かつ、奥に行くにしたがって径が狭くなるテーパを有することを特徴とする請求項１４に記載の顕微鏡液浸観察用オイル分注器スタンド。
【請求項１６】
前記保持部が、前記開口の外側面で請求項１０に記載の顕微鏡液浸観察用オイル分注器における前記突部を保持することを特徴とする請求項１４又は１５に記載の顕微鏡液浸観察用オイル分注器スタンド。
【請求項１７】
前記保持部が、前記開口の外側面で請求項１１に記載の顕微鏡液浸観察用オイル分注器における前記複数の突条の端部を保持することを特徴とする請求項１４又は１５に記載の顕微鏡液浸観察用オイル分注器スタンド。
【請求項１８】
前記保持部が、前記開口の内側面で請求項１０に記載の顕微鏡液浸観察用オイル分注器における前記突部を保持することを特徴とする請求項１４又は１５に記載の顕微鏡液浸観察用オイル分注器スタンド。
【請求項１９】
前記保持部が、前記開口の内側面で請求項１１に記載の顕微鏡液浸観察用オイル分注器における前記複数の突条の側面を保持することを特徴とする請求項１４又は１５に記載の顕微鏡液浸観察用オイル分注器スタンド。
【請求項２０】
前記保持部が箱状部材に設けられ、
前記箱状部材は、請求項１〜１１のいずれかに記載の顕微鏡液浸観察用オイル分注器が前記保持部で保持された状態において、該顕微鏡液浸観察用オイル分注器における前記ノズル部の先端に対向する面を該ノズル部の先端と非接触にする高さを持つことを特徴とする請求項１２〜１９のいずれかに記載の顕微鏡液浸観察用オイル分注器スタンド。
【請求項２１】
前記保持部に保持された状態における請求項１〜１１のいずれかに記載の顕微鏡液浸観察用オイル分注器における前記ノズル部に対向する側にオイル受けを備えたことを特徴とする請求項１２〜２０のいずれかに記載の顕微鏡液浸観察用オイル分注器スタンド。
【請求項２２】
請求項１〜１１のいずれかに記載の顕微鏡液浸観察用オイル分注器と、
請求項１２〜２１のいずれかに記載の顕微鏡液浸観察用オイル分注器スタンドとからなることを特徴とする顕微鏡液浸観察用オイル分注ユニット。
【請求項２３】
２５℃での動粘度が５０〜５００ｃＳｔのイマージョンオイルが充填された請求項１、請求項１に従属する請求項４〜１１のいずれかに記載の顕微鏡液浸観察用オイル分注器からなることを特徴とする顕微鏡液浸観察用オイル分注キット。
【請求項２４】
２５℃での動粘度が８０〜３５０ｃＳｔのイマージョンオイルが充填された請求項２、請求項２に従属する請求項４〜１１のいずれかに記載の顕微鏡液浸観察用オイル分注器からなることを特徴とする顕微鏡液浸観察用オイル分注キット。
【請求項２５】
２５℃での動粘度が１００〜１５０ｃＳｔのイマージョンオイルが充填された請求項３、請求項３に従属する請求項４〜１１のいずれかに記載の顕微鏡液浸観察用オイル分注器からなることを特徴とする顕微鏡液浸観察用オイル分注キット。
【請求項２６】
２５℃での動粘度が５０〜５００ｃＳｔのイマージョンオイルが充填された請求項１、請求項１に従属する請求項４〜１１のいずれかに記載の顕微鏡液浸観察用オイル分注器と、
請求項１２〜２１のいずれかに記載の顕微鏡液浸観察用オイル分注器スタンドとからなることを特徴とする顕微鏡液浸観察用オイル分注キット。
【請求項２７】
２５℃での動粘度が８０〜３５０ｃＳｔのイマージョンオイルが充填された請求項２、請求項２に従属する請求項４〜１１のいずれかに記載の顕微鏡液浸観察用オイル分注器と、
請求項１２〜２１のいずれかに記載の顕微鏡液浸観察用オイル分注器スタンドとからなることを特徴とする顕微鏡液浸観察用オイル分注キット。
【請求項２８】
２５℃での動粘度が１００〜１５０ｃＳｔのイマージョンオイルが充填された請求項３、請求項３に従属する請求項４〜１１のいずれかに記載の顕微鏡液浸観察用オイル分注器と、
請求項１２〜２１のいずれかに記載の顕微鏡液浸観察用オイル分注器スタンドとからなることを特徴とする顕微鏡液浸観察用オイル分注キット。
【発明の詳細な説明】
【技術分野】
【０００１】
本発明は、顕微鏡液浸観察に用いるイマージョンオイルオイルを分注するための顕微鏡液浸観察用オイル分注器、顕微鏡液浸観察用オイル分注器用スタンド、顕微鏡液浸観察用オイル分注ユニット、及び顕微鏡液浸観察用オイル分注キットに関する。
【背景技術】
【０００２】
顕微鏡による高倍率観察を行う場合、対物レンズと観察対象物との間に光学的な特性を補うために液体を介在させることが多い。対物レンズと観察対象物との間に介在させる液体としては、従来、水ないし光学的特性が考慮された低揮発性油（イマージョンオイル）が用いられてきた。イマージョンオイルは、特に光学特性に優れており、現在でも、開口率の大きい対物レンズを利用する場合における必須の液体である。
【０００３】
ところで、顕微鏡の観察に用いるイマージョンオイルは、使用者の手ないし手袋に付着すると２次汚染を発生させ、周囲に不快なベタベタ感を与えるばかりでなく、皮膚についた場合には刺激を伴う。また、イマージョンオイルは、培養容器に多く用いられているポリスチレン（ＰＳ）などの一部の樹脂を腐食する性質を持っている。さらに、イマージョンオイルは、伸展性が高く１滴で広範囲を汚染することもあり、長期間放置した場合には広範囲に広がった後に揮発し、周囲の埃を集めて固着することがある。しかも、イマージョンオイルは、ティッシュペーパー等を用いた払拭のみでは、完全な除去が困難であり、イマージョンオイルの除去には、火災や毒性など潜在的な危険を伴う溶剤を用いるのが一般的である。このため、イマージョンオイルは、極力、最少量で使用することが望ましく、周囲を汚染しないように扱うことが重要である。
【０００４】
しかるに、従来、イマージョンオイルを分注するための容器としては、例えば、次の非特許文献１に記載の容器等が使用されている。
【非特許文献１】広告チラシ掲載ホームページ、『ペンギン  シャッター  オイラー』、online、http://www.adachikosho.com/useful/petbottle_m.jpg、検索日2007.03.29
【０００５】
図６は非特許文献１に記載されている容器の概略構成図である。
この種の容器は、容器本体５１と容器本体５１の先端に取付けられたノズル５２を有し、ノズル５２の先端が上方を向くように容器本体５１を立てた状態で保管するように構成されている。容器本体５１は、柔軟なプラスチックで製造されており、側面を押すと内圧によりイマージョンオイルをノズル５２の先端から吐出する機構となっている。そして、使用時には、使用者は、容器本体５１を把持し、ノズル５２の先端が図示しない観察対象と対物レンズとの間に入るように傾けながら、イマージョンオイルを分注する。また、この種の容器には、分注を行わないときにノズル５２の先端部を塞ぐためのキャップ（図示省略）を備えたものもある。
【０００６】
しかし、この種の容器では、イマージョンオイルを分注する度に、上方を向いているノズル５２の先端が下方に向くように容器本体５１の向きを変える必要があり、このことがイマージョンオイルの垂れの原因となっていた。また、容器本体５１の側面を押してイマージョンオイルを吐出するので、吐出量の制御も困難で適量を滴下するのが難しい。さらに、イマージョンオイルを分注し終える度に、ノズル５２の先端を下方に向けた状態から上方に向くように向きを変える必要がある。このため、分注時にノズル５２の先端に付着した低粘度で伸展性の強いイマージョンオイルが、ノズル５２の先端を下方に向けた状態から上方に向くように向きを変えたときに、ノズル５２の外壁を伝って広がっていき、容器全体を汚損し易いという問題があった。さらに、容器がイマージョンオイルで汚染されると、その容器を把持する使用者の手ないし手袋にイマージョンオイルが付着して、２次汚染し易いという問題があった。
【０００７】
上述したように、容器がイマージョンオイルで一旦汚染されると、汚染されたイマージョンオイルを完全に除去することは困難であり、使用者に対して容器が不快なベタベタ感を与えるばかりか、容器に付着したイマージョンオイルが容器の設置場所や、使用者の手を介してさらに周囲を２次汚染することも多い。
【０００８】
しかも、このイマージョンオイルは、細胞培養などに多く用いられるＰＳなどの樹脂を腐食する性質がある。このため、誤ってイマージョンオイルが付着した手でこれらＰＳ製培養容器を扱った場合、表面に白濁が生じることがあった。さらに、イマージョンオイルで汚染された状態を長時間放置した場合には、イマージョンオイルが周囲の埃を集めて固着することがあるが、一度固着したものは除去が困難である。また、イマージョンオイルが皮膚へ付着した場合には刺激を伴うという問題がある。
【０００９】
しかも、イマージョンオイルは、２５℃における動粘度が５０〜５００ｃＳｔであり、車両のギアオイル等に比べて、粘度が低く、イマージョンオイルを、車両のギアオイルの分注に一般に用いられているようなオイルシリンジに入れても、ノズルの先端を下方に傾けたときに、そのままノズルの先端からイマージョンオイルが流出してしまう。また、イマージョンオイルは、２０〜５０μｌ程度の少量を精度良く供給する必要がある。しかし、車両のギアオイルの分注に一般に用いられているようなオイルシリンジの容量は数十から数百ｍｌであり、分注量も数から数百ｍｌで供給量には精度は求められていない。このため、車両のギアオイルのオイルシリンジは、イマージョンオイルの分注容器に使用することができない。
【発明の開示】
【発明が解決しようとする課題】
【００１０】
本発明は、上記従来の課題に鑑みてなされたものであり、周囲や培養容器、オイル分注器、更には使用者を汚染させることなく、液浸観察を行う顕微鏡へ適量を分注することの可能な顕微鏡液浸観察用オイル分注器、顕微鏡液浸観察用オイル分注器用スタンド、顕微鏡液浸観察用オイル分注ユニット、及び顕微鏡液浸観察用オイル分注キットを提供することを目的としている。
【課題を解決するための手段】
【００１１】
上記目的を達成するため、本発明による顕微鏡液浸観察用オイル分注器は、顕微鏡による液浸観察のために用いる、２５℃での動粘度が５０〜５００ｃＳｔのイマージョンオイルを、顕微鏡対物レンズと観察対象物との間に分注するための顕微鏡液浸観察用オイル分注器であって、シリンジ部と、前記シリンジ部に接続するノズル部を有し、前記シリンジ部は、容積が１〜３０ｃｃであり、前記ノズル部は、先端内径が５００〜９００μｍ、テーパ角が４〜１０度であることを特徴としている。
【００１２】
また、本発明による顕微鏡液浸観察用オイル分注器は、顕微鏡による液浸観察のために用いる、２５℃での動粘度が８０〜３５０ｃＳｔのイマージョンオイルを、顕微鏡対物レンズと観察対象物との間に分注するための顕微鏡液浸観察用オイル分注器であって、シリンジ部と、前記シリンジ部に接続するノズル部を有し、前記シリンジ部は、容積が１〜３０ｃｃであり、前記ノズル部は、先端内径が５００〜９００μｍ、テーパ角が４〜１０度であることを特徴としている。
【００１３】
また、本発明による顕微鏡液浸観察用オイル分注器は、顕微鏡による液浸観察のために用いる、２５℃での動粘度が１００〜１５０ｃＳｔのイマージョンオイルを、顕微鏡対物レンズと観察対象物との間に分注するための顕微鏡液浸観察用オイル分注器であって、シリンジ部と、前記シリンジ部に接続するノズル部を有し、前記シリンジ部は、容積が１〜３０ｃｃであり、前記ノズル部は、先端内径が５００〜９００μｍ、テーパ角が４〜１０度であることを特徴としている。
【００１４】
また、本発明の顕微鏡液浸観察用オイル分注器においては、前記ノズル部のテーパ角が６〜８度であるのが好ましい。
【００１５】
また、本発明の顕微鏡液浸観察用オイル分注器においては、前記ノズル部の先端内径が６００〜６５０μｍであるのが好ましい。
【００１６】
また、本発明の顕微鏡液浸観察用オイル分注器においては、前記シリンジ部のピストンが、前記ノズル部を下側に向けられかつ該ピストンに外力が加えられないときには該シリンダ内で位置を保持するように該シリンダの内側面と密着し、該ピストンに外力が加えられたときには該シリンダの内側面に対して摺動する摺動部を有するのが好ましい。
【００１７】
また、本発明の顕微鏡液浸観察用オイル分注器においては、前記ノズル部及びシリンジ部の材質が、耐油性の樹脂であるのが好ましい。
【００１８】
また、本発明の顕微鏡液浸観察用オイル分注器においては、前記ノズル部が前記シリンジ部に対して着脱可能であるのが好ましい。
【００１９】
また、本発明の顕微鏡液浸観察用オイル分注器においては、前記ノズル部が前記シリンジ部と一体に成形されているのが好ましい。
【００２０】
また、本発明の顕微鏡液浸観察用オイル分注器においては、前記ノズル部の外周面における先端から所定長離れた部位に突部を有するのが好ましい。
【００２１】
また、本発明の顕微鏡液浸観察用オイル分注器においては、前記突部が、所定間隔をあけて前記ノズル部の先端に向かうように配置された複数の突条で構成されているのが好ましい。
【００２２】
また、本発明による顕微鏡液浸観察用オイル分注器スタンドは、上記本発明のいずれかの顕微鏡液浸観察用オイル分注器を、前記ノズル部を下方に向け且つ該ノズル部の先端とは非接触な状態で保持可能な保持部を有することを特徴としている。
【００２３】
また、本発明の顕微鏡液浸観察用オイル分注器スタンドにおいては、前記保持部が、前記ノズル部を保持するのが好ましい。
【００２４】
また、本発明の顕微鏡液浸観察用オイル分注器スタンドにおいては、前記保持部が、前記ノズル部の先端を挿入可能で、かつ、該ノズル部の外周面における先端から所定長離れた部位と当接する大きさの径の開口を有して構成されているのが好ましい。
【００２５】
また、本発明の顕微鏡液浸観察用オイル分注器スタンドにおいては、前記保持部の開口が、所定長の奥行きを有し、かつ、奥に行くにしたがって径が狭くなるテーパを有するのが好ましい。
【００２６】
また、本発明の顕微鏡液浸観察用オイル分注器スタンドにおいては、前記保持部が、前記開口の外側面で上記本発明の顕微鏡液浸観察用オイル分注器における前記突部を保持するのが好ましい。
【００２７】
また、本発明の顕微鏡液浸観察用オイル分注器スタンドにおいては、前記保持部が、前記開口の外側面で上記本発明の顕微鏡液浸観察用オイル分注器における前記複数の突条の端部を保持するのが好ましい。
【００２８】
また、本発明の顕微鏡液浸観察用オイル分注器スタンドにおいては、前記保持部が、前記開口の内側面で上記本発明の顕微鏡液浸観察用オイル分注器における前記突部を保持するのが好ましい。
【００２９】
また、本発明の顕微鏡液浸観察用オイル分注器スタンドにおいては、前記保持部が、前記開口の内側面で上記本発明の顕微鏡液浸観察用オイル分注器における前記複数の突条の側面を保持するのが好ましい。
【００３０】
また、本発明の顕微鏡液浸観察用オイル分注器スタンドにおいては、前記保持部が箱状部材に設けられ、前記箱状部材は、上記本発明のいずれかの顕微鏡液浸観察用オイル分注器が前記保持部で保持された状態において、該顕微鏡液浸観察用オイル分注器における前記ノズル部の先端に対向する面を該ノズル部の先端と非接触にする高さを持つのが好ましい。
【００３１】
また、本発明の顕微鏡液浸観察用オイル分注器スタンドにおいては、前記保持部に保持された状態における上記本発明のいずれかの顕微鏡液浸観察用オイル分注器における前記ノズル部に対向する側にオイル受けを備えるのが好ましい。
【００３２】
また、本発明による顕微鏡液浸観察用オイル分注ユニットは、上記本発明のいずれかの顕微鏡液浸観察用オイル分注器と、上記本発明のいずれかの顕微鏡液浸観察用オイル分注器スタンドとからなることを特徴としている。
【００３３】
また、本発明による顕微鏡液浸観察用オイル分注キットは、２５℃での動粘度が５０〜５００ｃＳｔのイマージョンオイルが充填された上記本発明のいずれかの顕微鏡液浸観察用オイル分注器からなることを特徴としている。
【００３４】
また、本発明による顕微鏡液浸観察用オイル分注キットは、２５℃での動粘度が８０〜３５０ｃＳｔのイマージョンオイルが充填された上記本発明のいずれかの顕微鏡液浸観察用オイル分注器からなることを特徴としている。
【００３５】
また、本発明による顕微鏡液浸観察用オイル分注キットは、２５℃での動粘度が１００〜１５０ｃＳｔのイマージョンオイルが充填された上記本発明のいずれかの顕微鏡液浸観察用オイル分注器からなることを特徴としている。
【００３６】
また、本発明による顕微鏡液浸観察用オイル分注キットは、２５℃での動粘度が５０〜５００ｃＳｔのイマージョンオイルが充填された上記本発明のいずれかの顕微鏡液浸観察用オイル分注器と、上記本発明のいずれかの顕微鏡液浸観察用オイル分注器スタンドとからなることを特徴としている。
【００３７】
また、本発明による顕微鏡液浸観察用オイル分注キットは、２５℃での動粘度が８０〜３５０ｃＳｔのイマージョンオイルが充填された上記本発明のいずれかの顕微鏡液浸観察用オイル分注器と、上記本発明のいずれかの顕微鏡液浸観察用オイル分注器スタンドとからなることを特徴としている。
【００３８】
また、本発明による顕微鏡液浸観察用オイル分注キットは、２５℃での動粘度が１００〜１５０ｃＳｔのイマージョンオイルが充填された上記本発明のいずれかの顕微鏡液浸観察用オイル分注器と、上記本発明のいずれかの顕微鏡液浸観察用オイル分注器スタンドとからなることを特徴としている。
【発明の効果】
【００３９】
本発明によれば、周囲や培養容器、オイル分注器、更には使用者を汚染させることなく、液浸観察を行う顕微鏡へ適量を分注することの可能な顕微鏡液浸観察用オイル分注器、顕微鏡液浸観察用オイル分注器用スタンド、顕微鏡液浸観察用オイル分注ユニット、及び顕微鏡液浸観察用オイル分注キットが得られる。
【発明を実施するための最良の形態】
【００４０】
実施例の説明に先立ち、本発明の作用効果について説明する。
本発明の顕微鏡液浸観察用オイル分注器は、２５℃での動粘度が５０〜５００ｃＳｔ（好ましくは８０〜３５０ｃＳｔ、より好ましくは１００〜１５０ｃＳｔ）のイマージョンオイルを入れて分注するための容器として、容積が１〜３０ｃｃのシリンジ部と、シリンジ部に接続し、先端内径が５００〜９００μｍ（好ましくは６００〜６５０μｍ）、テーパ角が４〜１０度（好ましくは６〜８度）のノズル部を有して構成されている。このようにすれば、シリンジ部の内部（即ち、シリンダ）にオイルが充填された状態において、イマージョンオイルをシリンジ部の内部に好適に保持でき、ノズル部が下方を向くようにしても、イマージョンオイルがノズル部の先端から漏れないようにすることができる。
【００４１】
また、シリンジ部のピストンは、ノズル部が下方に向けられかつ該ピストンに外力が加えられないときにはシリンダ内で位置を保持するように該シリンダの内側面と密着し、ピストンに外力が加えられたときにはシリンダの内側面に対して摺動する摺動部を有して構成して、ピストンをシリンダに装着してもピストンが自重で下がってこないようにするのが好ましい。このようにすれば、シリンジ部の内部（即ち、シリンダ）にオイルが充填された状態でノズル部が下方を向くようにした状態における、イマージョンオイルのノズル部の先端からの漏れを確実に防止することができる。
【００４２】
また、本発明による顕微鏡液浸観察用オイル分注器スタンドは、分注を行わないときの顕微鏡液浸観察用オイル分注器を保持するスタンドであり、ノズル部が外部に接触しないように、ノズル部、好ましくはノズル部においてイマージョンオイルと非接触となりうる部位を保持して、ノズル部の先端を下方に向け且つノズル部の先端とは非接触な状態で顕微鏡液浸観察用オイル分注器を保持する保持部を有する。このようにすれば、イマージョンオイルと接触するノズル部が外部に接触しないので、イマージョンオイルによって容器が汚染されることがなく、使用者やその周囲をイマージョンオイルで汚染する危険性がなくなる。
【００４３】
なお、顕微鏡液浸観察用オイル分注器スタンドは、保持部に保持された状態における顕微鏡液浸観察用オイル分注器のノズル部に対向する側にオイル受けがあるのが好ましい。このようにすれば、スタンドに保持された顕微鏡液浸観察用オイル分注器におけるシリンジ部のシリンダを使用者が誤って押することによって、ノズル部の先端からイマージョンオイルが吐出されるようなことがあっても、イマージョンオイルによる周囲への汚染を防止できる。
【００４４】
また、本発明による顕微鏡液浸観察用オイル分注器スタンドを用いれば、常にノズル部野先端を下向きに維持したままで顕微鏡液浸観察用オイル分注器による分注及び保管を行うことができるので、従来の非特許文献１に記載の容器のようなノズル部の先端の向きを上下させることを原因とする顕微鏡液浸観察用オイル分注器本体へのイマージョンオイルの汚染をなくすことができる。
【００４５】
しかも、本発明の顕微鏡液浸観察用オイル分注器によれば、分注時には、シリンジ部のシリンダを押すことにより適切な量のイマージョンオイルをノズル部から押し出すことができる。また、ノズル部先端からの液切れを十分に行うことができる。
【００４６】
従って、本発明の顕微鏡液浸観察用オイル分注器によれば、径の細いノズルと液量制御に優れたシリンジを用いて吐出量を制御することで、対物レンズに対して出し過ぎることなく適量のイマージョンオイルを供給することができる。しかも、オイル容器がイマージョンオイルによって汚染されることがない。その結果、オイル容器自体がイマージョンオイルで汚染されることに伴う、周囲や培養容器、更には操作者への２次汚染を防止することができる。
【００４７】
図１は本発明の一実施形態にかかる顕微鏡液浸観察用オイル分注器の構成を示す斜視図、図２は図１の顕微鏡液浸観察用オイル分注器におけるノズル部を先端側から見た平面図である。図３は本発明の一実施形態にかかる顕微鏡液浸観察用オイル分注器スタンドを、顕微鏡液浸観察用オイル分注器を保持した状態で示す概念図である。図４は図３の顕微鏡液浸観察用オイル分注器スタンドの保持部の開口と図１の顕微鏡液浸観察用オイル分注器におけるノズル部の突部との保持態様を例示する説明図で、(a)は保持部開口の外側面で突部の端部を保持する例、(b)は保持部開口の内側面で突部の側面を保持する例を示している。図５は図１の実施形態の変形例にかかる顕微鏡液浸観察用オイル分注器スタンドの説明図で、(a)は保持部の開口を示す平面図、(b)は顕微鏡液浸観察用オイル分注器スタンドを、顕微鏡液浸観察用オイル分注器を保持した状態で示す断面図である。
【００４８】
本実施形態の顕微鏡液浸観察用オイル分注器は、図１に示すように、シリンジ部１と、シリンジ部１に接続するノズル部２を有して構成されている。
シリンジ部１は、シリンダ１ａと、ピストン１ｂとで構成されている。シリンダ１ａは、内部に、２５℃での動粘度が５０〜５００ｃＳｔのイマージョンオイルを１〜３０ｃｃ収容可能な容積を有している。
ノズル部２は、テーパ角が４〜１０度、先端２ａの径が５００〜９００μｍに形成されている。なお、テーパ角は、６〜８度程度がより望ましい。また、先端２ａの径は、６００〜６５０μｍが好ましい。
【００４９】
シリンジ部１のピストン１ｂは、ノズル部２が下方に向けられかつピストン１ｂに外力が加えられないときにはシリンダ１ａ内で位置を保持するようにシリンダ１ａの内側面と密着し、ピストン１ｂに外力が加えられたときにはシリンダ１ａの内側面に対して摺動する摺動部１ｂ１を有している。これにより、シリンジ部１は、ピストン１ｂをシリンダ１ａに装填した状態で下向きにしても、ピストン１ｂが自重で下がってこないようになっている。
【００５０】
シリンジ部１と、ノズル部２は、ＰＰ（ポリプロピレン）ないしＰＥ（ポリエチレン）樹脂で製造されている。なお、耐油性を持つ素材であれば、ＰＰ（ポリプロピレン）ないしＰＥ（ポリエチレン）以外のものを用いてもよい。ただし、コスト面からみれば、樹脂であることが好ましく、特に、本実施形態のように、ＰＰ（ポリプロピレン）ないしＰＥ（ポリエチレン）で製造するのが望ましい。
【００５１】
また、ノズル部２は、シリンジ部１に対して着脱可能に構成されている。なお、ノズル部２は、シリンジ部１と一体成形されていてもよい。
【００５２】
また、ノズル部２は、図１及び図２に示すように、外周面における先端２ａから所定長離れた部位に突部２ｂを有している。突部２ｂは、所定間隔をあけてノズル部２の先端２ａに向かうように配置された複数の突条２ｂ１で構成されている。
【００５３】
本実施形態の顕微鏡液浸観察用オイル分注器スタンドは、図３に示すように、本実施形態の顕微鏡液浸観察用オイル分注器を、ノズル部２を下方に向け且つノズル部２の先端２ａとは非接触な状態で保持可能な保持部３ａを有する箱状部材３で構成されている。
保持部３ａは、箱状部材３に設けられた開口で構成されている。保持部３ａの開口は、ノズル部２の先端２ａを挿入可能で、かつ、ノズル部２の外周面における先端２ａから所定長離れた部位と当接する大きさの径を有している。そして、図４(a)に示すように、保持部３ａは、開口の外側面で、ノズル部２の外周面に配置されている複数の突条２ｂ１の端部２ｂ１１を保持するように構成されている。なお、図４(b)に示すように、保持部３ａが、開口の内側面で、複数の突条２ｂ１の側部２ｂ１２を保持するようにしてもよい。
【００５４】
なお、図３の例では、保持部３ａでノズル部２の複数の突条部２ｂ１を保持するように構成したが、保持部３ａにおける開口の内側面で、複数の突条部等の突部を設けていないノズル部の側面を保持することも可能である。
さらには、保持部３ａでシリンジ部１のノズル部２側の平面１ｃや側面１ｄを保持するように構成してもよい。
【００５５】
また、箱状部材３は、本実施形態の顕微鏡液浸観察用オイル分注器が保持部３ａで保持された状態において、顕微鏡液浸観察用オイル分注器におけるノズル部２の先端２ａに対向する面をノズル部２の先端２ａと非接触にする高さを有して形成されている。
【００５６】
さらに、本実施形態の顕微鏡液浸観察用オイル分注器スタンドは、保持部３ａに保持された状態における本実施形態の顕微鏡液浸観察用オイル分注器におけるノズル部２に対向する側にオイル受け４を備えている。
なお、オイル受け４は、箱状部材３と一体、別体のいずれで構成してもよい。
【００５７】
また、本実施形態の顕微鏡液浸観察用オイル分注器スタンドは、図５(a),(b)に示すように、保持部３ａの開口を、所定長の奥行きを有し、かつ、奥に行くにしたがって径が狭くなるテーパを有して構成してもよい。
【００５８】
このように構成された本実施形態の顕微鏡液浸観察用オイル分注器によれば、シリンダ１ａを、２５℃での動粘度が５０〜５００ｃＳｔのイマージョンオイルを１〜３０ｃｃ収容可能な容積を有するようにし、且つ、ノズル部２を、テーパ角が４〜１０度、先端２ａの径が５００〜９００μｍに形成したので、例えば、２５℃での動粘度が１３５ｃＳｔのイマージョンオイル等をシリンジ部１の内部に充填した場合、ノズル部２の先端２ａからのイマージョンオイルの漏れはほとんど発生しない。特に、ノズル部２の先端２ａの径を６００−６５０μｍとした場合には、イマージョンオイルの漏れは全く発生しない。
しかも、上述したように、シリンジ部１を、ピストン１ｂをシリンダ１ａに装填した状態で下向きにしても、ピストン１ｂが自重で下がってこないようにしてある。
【００５９】
このため、シリンジ部１の内部（シリンダ１ａ）にイマージョンオイルが充填された状態で、顕微鏡液浸観察用オイル分注器をノズル部２が下方に向くようにしても、シリンダ１ａおよびノズル部２の内部に充填されたイマージョンオイルは、シリンジ部１の内部の十分な摩擦抵抗によって自然に流れ出ることなく、シリンジ部１に好適に保持される。
また、分注時にはシリンジ部１のピストン１ｂを押すことによってイマージョンオイルを少量ずつ分注することができる。
【００６０】
また、本実施形態の顕微鏡液浸観察用オイル分注器によれば、シリンジ部１と、ノズル部２を、耐油性が高く、透明な材質のＰＰ（ポリプロピレン）ないしＰＥ（ポリエチレン）樹脂で構成したので、分注器がイマージョンオイルに腐食されることがなく、しかも、分注器内部のイマージョンオイルの残量を容易に確認することができる。
【００６１】
また、本実施形態の顕微鏡液浸観察用オイル分注器スタンドによれば、箱状部材３の保持部３ａの外周面が、顕微鏡液浸観察用オイル分注器の突条２ｂの端部２ｂ１１と当接して、顕微鏡液浸観察用オイル分注器を、ノズル部２を下方に向け且つノズル部２の先端２ａが非接触な状態で保持する。
このため、オイル分注器を、使用時・保管時のいずれにおいても常にノズル部２を下方に向けた状態にすることができ、非特許文献１に記載の容器における使用時・保管時とで上下にノズルの先端の向きを変えることによって、保管時にノズルの先端に付着したイマージョンオイルが容器本体に向かって流れるような、オイル分注器への汚染がなくなる。
また、保管時にノズル部２を下方に向けた状態にすることができる結果、使用者がオイル分注器を使用し易くなる。更に、ノズル部２の先端にイマージョンオイルが少量残留していても、周囲や使用者に付着することがなくなる。
【００６２】
また、外周面における先端２ａから所定長離れた部位に箱状部材３の保持部３ａの外周面が、顕微鏡液浸観察用オイル分注器の突条２ｂの端部２ｂ１１と当接するようにしたことにより、互いの当接面積を極力小さくすることができるため、イマージョンオイルによるノズル部２への汚染をより一層防止し易くなる。
【００６３】
なお、図４(b)に示すように、保持部３ａが、開口の内側面で、複数の突条２ｂ１の側部２ｂ１２を保持するようにするようにすれば、顕微鏡液浸観察用オイル分注器のノズル部２の先端２ａを、箱状部材３における保持部３ａの開口に挿入し易くなる。このため、使用者が誤ってノズル部２の先端２ａを保持部３ａの開口以外の面に接触させてイマージョンオイルで汚染するようなことが少なくなる。
【００６４】
また、本実施形態の顕微鏡液浸観察用オイル分注器スタンドによれば、保持部３ａに保持された状態における本実施形態の顕微鏡液浸観察用オイル分注器におけるノズル部２に対向する側にオイル受け４を備えたので、顕微鏡液浸観察用オイル分注器スタンドに顕微鏡液浸観察用オイル分注器を保持した状態において、使用者の誤操作等により意図せずシリンジ部１のピストン１ｂが押されて、イマージョンオイルがノズル部２の先端２ａから漏れ出ても、周囲や使用者を汚染することがない。
【００６５】
また、本実施形態の顕微鏡液浸観察用オイル分注器によれば、オイル分注器にイマージョンオイルを充填する場合に、ノズル部２をシリンジ部１に対して着脱可能にしたので、ノズル部２を取り外しシリンジ部１のピストンを引くことによって速やかにイマージョンオイルを充填することができる。もちろん、イマージョンオイルがなくなった場合には、同様の操作により再充填することもできる。なお、その場合、取り外したノズル部２の先端２ａは、イマージョンオイルで汚染されているので、周囲への２次汚染を防止するためには、ノズル部２をディスポーザブルなものとし、イマージョンオイルの再充填ごとに未使用のノズル部２をシリンジ部１に取付けるようにするとよい。
【００６６】
また、ノズル部２とシリンジ部１とが一体形成された構成の場合は、顕微鏡液浸観察用オイル分注器自体をディスポーザブルなものとしてもよい。そのようにすれば、イマージョンオイルの汚染を防ぐことができる。
【００６７】
なお、本実施形態の顕微鏡液浸観察用オイル分注器と本実施形態の顕微鏡液浸観察用オイル分注器スタンドとをセットにした一つのユニットとするとよい。
【００６８】
さらに、本実施形態の顕微鏡液浸観察用オイル分注器、または本実施形態の顕微鏡液浸観察用オイル分注器と本実施形態の顕微鏡液浸観察用オイル分注器スタンドとをセットにした一つのユニットにおいて、顕微鏡液浸観察用オイル分注器の内部に予めイマージョンオイルを充填した状態にして顕微鏡液浸観察用オイル分注キットを構成してもよい。
そのようにすれば、使用者がイマージョンオイルを充填する必要がなくなり、より一層イマージョンオイルによる汚染を防止し易くなる。
【００６９】
なお、上述したように、本発明の顕微鏡液浸観察用オイル分注器に使用できるオイルは、２５℃での動粘度が５０〜５００ｃＳｔが好ましく、８０〜３５０ｃＳｔであれば、更に好ましい。特に、１００〜１５０ｃＳｔが好ましい。
【００７０】
実施例１
図１に実施形態に記載の顕微鏡液浸観察用オイル分注器及び顕微鏡液浸観察用オイル分注器スタンド（実施例１）と、非特許文献１に記載の容器と略同じタイプの容器（比較例１）のそれぞれを用いて、イマージョンオイルの漏れの試験を行った。なお、実施例１及び比較例1の容器において、注入するイマージョンオイルには、２５℃での動粘度が１３５ｃＳｔのものとして、オリンパス  イマージョンオイル、AX9602に用いられているオイルを用いた。また、比較例１の容器としては、オリンパス  イマージョンオイル、AX9602に用いられている容器を用いた。この容器は、非特許文献１に記載の容器と略同じ構成であって、さらにノズルの先端部を塞ぐためのキャップを備えている。
以下に、容器及びスタンドの数値データを示す。
実施例１（図１に実施形態に記載の顕微鏡液浸観察用オイル分注器及び顕微鏡液浸観察用オイル分注器スタンド）
シリンジ部の容積：３ｍｍ
シリンダの内径：１０ｍｍ
ノズル部の長さ：４０ｍｍ
ノズル部の先端内径：６００μｍ
ノズル部のテーパ角：６°
ノズル部の突条位置：円周上に６０°間隔
ノズル部の突条本数：６個
ノズル部の突条長：３ｍｍ
ノズル部の突条高さ：１ｍｍ
保持部の開口径：５ｍｍ
箱状部材の高さ：３５ｍｍ
比較例１（非特許文献１に記載の容器と略同タイプの容器）
ノズル部の長さ：４７ｍｍ
ノズル部の内径：１．１ｍｍ
容量：５０ｍｌ
【００７１】
試験内容及び結果
実施例１と比較例１の容器を用いて、液浸対物レンズに１滴ずつ分注を繰り返した。その際、１０滴の分注ごとに所定時間のインターバルをおいた。分注ごとに容器からのイマージョンオイルの漏れ及び容器からの漏れを調べた。なお、実施例１の分注器については、分注ごとにスタンドに保持した場合と、スタンドに保持せず水平に寝かせた場合のそれぞれについて調べた。
その結果を次に示す。
実施例１の分注器（分注ごとにスタンドに保持した場合）
７０回分注を繰り返したが、オイルの垂れは全く見られなかった。
実施例１の分注器（スタンドに保持せず水平に寝かせた場合）
７０回分注を繰り返したが、オイルの垂れは全く見られなかった。
比較例１の分注器
１０回分注時に、ノズル部にオイルの垂れが見られた。
３０回分注時に、ノズル部の付け根部分までオイルの垂れが見られた。
７０回分注時に、オイル容器の下までオイルの垂れが見られた。
【００７２】
次いで、実施例１の容器（ノズル部の先端内径６００μｍ）を用いて、動粘度の異なるオイルを用いて、使用感（途出量の制御の可否）について試験した。
なお、イマージョンオイルは動粘度のバリエーションが確保できないため、動粘度の異なるオイルとしては、イマージョンオイルの類似物質として均質且つ動粘度が良く制御されている次のシリコーンを代用した。
（シリコーン）
KF-96-359CS（信越化学工業（株））動粘度３５０ｃＳｔ
KF-96-100CS（信越化学工業（株））動粘度１００ｃＳｔ
KF-96-30CS（信越化学工業（株））動粘度３０ｃＳｔ
（実験方法）
吸引により実施例１の容器のシリンジ内部にシリコーンを充填した後にノズルを装着し、スライドガラスに分注し、その際の使用感を記録した。
（実験結果）
動粘度３０ｃＳｔのシリコーン
慎重にピストンを押してもシリンダ内部のシリコーンが一気に大量に途出され、途出量の制御が困難であった。
動粘度１００ｃＳｔのシリコーン
途出量を制御でき、問題なく使用することができた。
動粘度３５０ｃＳｔのシリコーン
途出量を制御でき、問題なく使用することができた。
【産業上の利用可能性】
【００７３】
本発明は、顕微鏡による高倍率観察を行うためにイマージョンオイルオイルを分注して顕微鏡液浸観察を行う分野に有用である。
【図面の簡単な説明】
【００７４】
【図１】本発明の一実施形態にかかる顕微鏡液浸観察用オイル分注器の構成を示す斜視図である。
【図２】図１の顕微鏡液浸観察用オイル分注器におけるノズル部を先端側から見た平面図である。
【図３】本発明の一実施形態にかかる顕微鏡液浸観察用オイル分注器スタンドを、顕微鏡液浸観察用オイル分注器を保持した状態で示す概念図である。
【図４】図３の顕微鏡液浸観察用オイル分注器スタンドの保持部の開口と図１の顕微鏡液浸観察用オイル分注器におけるノズル部の突部との保持態様を例示する説明図で、(a)は保持部開口の外側面で突部の端部を保持する例、(b)は保持部開口の内側面で突部の側面を保持する例を示している。
【図５】図１の実施形態の変形例にかかる顕微鏡液浸観察用オイル分注器スタンドの説明図で、(a)は保持部の開口を示す平面図、(b)は顕微鏡液浸観察用オイル分注器スタンドを、顕微鏡液浸観察用オイル分注器を保持した状態で示す断面図である。
【図６】非特許文献１に記載されている容器の概略構成図である。
【符号の説明】
【００７５】
１          シリンジ部
１ａ        シリンダ
１ｂ        ピストン
１ｃ        平面
１ｄ        側面
２          ノズル部
２ａ        先端
２ｂ        突部
２ｂ１      突条
２ｂ１１    突条の端部
２ｂ１２    突条の側部
３          箱状部材
３ａ        保持部
４          オイル受け
５１        容器本体
５２        ノズル
【図１】
2009020196.tif 000003
【図２】
2009020196.tif 000004
【図３】
2009020196.tif 000005
【図４】
2009020196.tif 000006
【図５】
2009020196.tif 000007
【図６】
2009020196.tif 000008